(57)【要約】      （修正有）【課題】前嚢の切開口の形状に関する情報を容易に取得できる眼科手術評価用装置、および眼科手術評価用プログラムを提供する。【解決手段】前嚢の開口部を含む術後画像に基づいて眼科手術を評価するために用いられる眼科手術評価用装置であって、前記術後画像に含まれる前嚢の開口部の形状を定量化するためのカーソル８３を、表示手段に表示された前記術後画像に重畳表示させる表示制御手段、を備えることを特徴とする。さらに、前記表示制御手段は、前記開口部の形状を定量化するための目盛８５を前記カーソルに形成させてもよい。【選択図】図４
2016106649.tif 000002
【特許請求の範囲】
【請求項１】
前嚢の開口部を含む術後画像に基づいて眼科手術を評価するために用いられる眼科手術評価用装置であって、
前記術後画像に含まれる前嚢の開口部の形状を定量化するためのカーソルを、表示手段に表示された前記術後画像に重畳表示させる表示制御手段、を備えることを特徴とする眼科手術評価装置。
【請求項２】
前記表示制御手段は、前記開口部の形状を定量化するための目盛を前記カーソルに形成させることを特徴とする請求項１の眼科手術評価装置。
【請求項３】
前記表示制御手段によって前記術後画像に重畳表示された前記カーソルの形状を表す形状パラメータを取得する形状取得手段を、さらに備えることを特徴とする請求項１または２の眼科手術評価用装置。
【請求項４】
検者の操作に基づく操作手段からの操作信号を取得する操作信号取得手段をさらに備え、
前記表示制御手段は、前記操作信号取得手段によって取得された前記操作手段からの操作信号に基づいて、前記術後画像に重畳表示された前記カーソルを移動して表示させることを特徴とする請求項１〜３のいずれかの眼科手術評価用装置。
【請求項５】
検者の操作に基づく操作手段からの操作信号を取得する操作信号取得手段をさらに備え、
前記表示制御手段は、前記操作信号取得手段によって取得された操作信号に基づいて、前記カーソルを回転して表示させることを特徴とする請求項１〜４のいずれかの眼科手術評価装置。
【請求項６】
前記カーソルは、
前記術後画像に含まれる前記開口部の形状を楕円と見なした場合の短軸の位置に重畳表示される第１の軸と、
長軸の位置に重畳表示され、第１の軸と直交する第２の軸と、を備えることを特徴とする請求項１〜５のいずれかの眼科手術評価装置。
【請求項７】
前記カーソルは、前記術後画像に含まれる前記前嚢の開口部に重畳表示される十字，楕円または円形状であることを特徴とする請求項１〜６のいずれかの眼科手術評価用装置。
【請求項８】
前記表示制御手段は、前記術後画像として被検眼の徹照像を前記表示手段に表示させることを特徴とする請求項１〜７のいずれかの眼科手術評価装置。
【請求項９】
前記カーソルの中心と、前記術後画像に含まれる角膜輝点に基づいて検出された角膜中心との距離を取得する距離取得手段をさらに備えることを特徴とする請求項１〜８のいずれかの眼科手術評価装置。
【請求項１０】
被検眼眼底に向けて測定光を投光し、その測定光の眼底反射光による徹照像を撮像素子で撮影する徹照像撮影光学系をさらに備える請求項１〜９のいずれかの眼科手術評価用装置。
【請求項１１】
前嚢の開口部を含む術後画像に基づいて眼科手術を評価するために用いられる眼科手術評価用装置に用いられる眼科手術評価用プログラムであって、
前記眼科手術評価用装置のプロセッサに実行されることによって、
前記術後画像に含まれる前嚢の開口部の形状を定量化するためのカーソルを、表示手段に表示された前記術後画像に重畳表示させる表示制御ステップを、
前記眼科手術評価用装置に実行させることを特徴とする眼科手術評価用プログラム。
【発明の詳細な説明】
【技術分野】
【０００１】
本開示は、被検眼に施された白内障手術等の眼科手術を評価するための眼科手術評価用装置、および眼科手術評価用プログラムに関する。
【背景技術】
【０００２】
眼の中でレンズの機能を果たしている水晶体が混濁する白内障という病気が知られている。白内障になると、混濁の影響によって眼内に十分な光が入らず、視力障害が生じる。
【０００３】
従来の白内障手術においては、術者は、水晶体を包んでいる水晶体前嚢を針又はピンセットで引き裂いて、円形の切開口（CCC：Continuous Circular Capsulorhexis）を作成し、そこから混濁した水晶体の中身を吸引除去する。そして、術者は透明な水晶体の前嚢および後嚢によって作られる袋だけにして、前述の切開口から人工水晶体（眼内レンズ）を挿入する。
【先行技術文献】
【特許文献】
【０００４】
【特許文献１】特開２００９−４５４６１号公報
【発明の概要】
【発明が解決しようとする課題】
【０００５】
ところで、従来の白内障手術において、ＣＣＣの形状が眼内レンズの見え方、眼内レンズのずれ等に影響を与える可能性が考えられる。これを解明するため、術後の被検者の眼を検査し、ＣＣＣの形状を評価することが必要とされている。しかしながら、ＣＣＣは複雑な形状になることが多く、定量的に評価することが困難な場合がある。
【０００６】
本開示は、上記問題点を鑑み、ＣＣＣの形状に関する情報を容易に取得できる眼科手術評価用装置、および眼科手術評価用プログラムを提供することを技術課題とする。
【課題を解決するための手段】
【０００７】
上記課題を解決するために、本発明は、以下のような構成を有することを特徴とする。
（１）  前嚢の開口部を含む術後画像に基づいて眼科手術を評価するために用いられる眼科手術評価用装置であって、前記術後画像に含まれる前嚢の開口部の形状を定量化するためのカーソルを、表示手段に表示された前記術後画像に重畳表示させる表示制御手段、を備えることを特徴とする。
（２）  前嚢の開口部を含む術後画像に基づいて眼科手術を評価するために用いられる眼科手術評価用装置に用いられる眼科手術評価用プログラムであって、前記眼科手術評価用装置のプロセッサに実行されることによって、前記術後画像に含まれる前嚢の開口部の形状を定量化するためのカーソルを、表示手段に表示された前記術後画像に重畳表示させる表示制御ステップを、前記眼科手術評価用装置に実行させることを特徴とする。
【図面の簡単な説明】
【０００８】
【図１】角膜形状分布及び眼屈折力分布を解析する眼科装置の概略構成図である。
【図２】測定装置本体の光学系概略構成図である。
【図３】受光部の構成の説明図である。
【図４】ディスプレイに表示されるマップの画面例である。
【図５】カーソルの移動について説明するための図である。
【図６】カーソルの回転について説明するための図である。
【図７】カーソルの変容例について説明するための図である。
【図８】カーソルの変容例について説明するための図である。
【図９】カーソルの変容例について説明するための図である。
【発明を実施するための形態】
【０００９】
＜概要＞
以下、本開示に係る眼科手術評価用装置の概要を図１〜図９に基づいて説明する。眼科手術評価用装置（例えば、眼科手術評価用装置１００）は眼科手術を評価するためのものである。本実施例の眼科手術評価用装置（以下、評価用装置と略す場合がある）は、例えば、白内障手術等の前嚢の切開口（ＣＣＣとも言う）の形状を評価する。評価用装置は、例えば、表示制御部（例えば、制御部７０）を備える。表示制御部は、例えば、白内障手術等の術後の画像（以下、術後画像と略す場合がある）を表示部（例えば、表示部７１）に表示させる。術後画像には、例えば、前嚢の開口部が含まれる。表示制御部は、前嚢の開口部の形状を定量化するためのカーソル（例えば、カーソル８３）を、表示部に表示された術後画像に重畳表示させる。これによって、検者は、前嚢の開口部の形状を定量的に評価することができる。
【００１０】
なお、表示制御部は、前眼部の開口部の形状を定量化するための目盛をカーソルに形成させてもよい。これによって、検者は、目盛を読み取ることによって前眼部の開口部の形状を評価してもよい。
【００１１】
なお、評価用装置は、形状取得部（例えば、制御部７０）を備えてもよい。形状取得部は、例えば、術後画像に重畳表示されたカーソルの形状を表す形状パラメータを取得する。例えば、表示制御部は、形状取得部によって取得された形状パラメータを表示部に表示させる。これによって、検者は、表示部に表示された形状パラメータによって容易にカーソルの形状を確認できる。
【００１２】
なお、評価用装置は、さらに操作信号取得部（例えば、制御部７０）を備えてもよい。操作信号取得部は、例えば、検者の操作に基づく操作部（例えば、入力ユニット１０３）からの操作信号を取得してもよい。この場合、表示制御部は、操作信号取得部によって取得された操作部からの操作信号に基づいて、術後画像に重畳表示されたカーソルを移動して表示させてもよい。これによって、ＣＣＣの位置にカーソルを移動させることができる。したがって、ＣＣＣが画像の中心からずれていても良好にＣＣＣの形状を評価することができる。
【００１３】
なお、表示制御部は、操作信号取得部によって取得された操作信号に基づいて、カーソルを回転して表示させてもよい。これによって、例えば、ＣＣＣの形状を楕円と見なしたときの短軸と長軸の角度にカーソルを合わせることができる。したがって、ＣＣＣの形状を良好に評価することができる。
【００１４】
なお、カーソルは、第１の軸（例えば、縦ライン８３ｓまたは横ライン８３ｂ）と、第２の軸（例えば、縦ライン８３ｓまたは横ライン８３ｂ）とを備えてもよい。第１の軸は、例えば、術後画像に含まれる開口部の形状を楕円と見なした場合の短軸の位置に重畳表示される。第の軸は、例えば、長軸の位置に重畳表示され、第１の軸と直交する。
【００１５】
なお、カーソルは、術後画像に含まれる前嚢の開口部に重畳表示される十字，楕円または円形状であってもよい。カーソルは、例えば、前嚢の開口部の形状を評価しやすい形状であってもよい。
【００１６】
なお、表示制御部は、術後画像として被検眼の徹照像を表示部に表示させてもよい。
【００１７】
なお、評価用装置は、距離取得部（例えば、制御部７０）を備えてもよい。距離取得部は、例えば、カーソルの中心と、術後画像に含まれる角膜輝点に基づいて検出された角膜中心との距離を取得してもよい。
【００１８】
評価用装置は、例えば、徹照像撮影光学系（例えば、ＣＣＤカメラ５４および光源２１の少なくともいずれか）を備えてもよい。徹照像撮影光学系は、例えば、被検眼眼底に向けて測定光を投光し、その測定光の眼底反射光による徹照像を撮像素子（例えば、ＣＣＤカメラ５４）で撮影してもよい。
【００１９】
なお、評価用装置は、例えば、プロセッサ（例えば、制御部７０）等を備え、メモリ等に記憶された眼科手術評価用プログラムを実行してもよい。眼科手術評価用プログラムは、例えば、表示制御ステップを含む。表示制御ステップは、例えば、術後画像に含まれる前嚢の開口部の形状を定量化するためのカーソルを、表示手段に表示された術後画像に重畳表示させるステップである。
【００２０】
＜実施例＞
本開示の実施例を図面に基づいて説明する。図１は、詳細な角膜形状の分布及び眼屈折力分布を解析する眼科装置、及び眼科装置によって取得された画像に基づいて、検者が術後評価を行うために用いられる眼科手術評価用装置（以下、評価装置ともいう）１００の概略構成図である。測定装置１０は、角膜形状測定部１１と、眼屈折力分布測定部１２とを備える。測定装置１０で得られた角膜形状データ、眼屈折力分布データはケーブル１３又は記録メディアを介して評価装置１００に入力される。評価装置１００は、データを記憶する記憶部及び術後評価を行う際に用いられるプログラムを持つ演算ユニット１０１、ディスプレイ１０２、キーボード等の入力ユニット１０３を備えてもよい。制御ユニット１０１は、ディスプレイ１０２の表示を制御してもよい。
【００２１】
図２は、測定装置１０の光学系概略構成図である。眼屈折力分布測定部１２の測定光学系は、例えば、スリット投影光学系２０と受光光学系３０を備えてもよい。投影光学系２０は、例えば被検眼の眼底にスリット光を投影してもよい。投影光学系２０は、測定光源２１、回転セクタ２２、投影レンズ２３、絞り２４、ビームスプリッタ２５等を備えてもよい。回転セクタ２２の回転により被検者眼Ｅの眼底にスリット光を投影する。
【００２２】
受光光学系３０は、受光レンズ３１、絞り３２、受光部３３を備えてもよい。受光レンズ３１は、例えば、ビームスプリッタ２５の後方に配置される。受光部３３は、図３に示すように、被検者眼の角膜と略共役に位置する１０個の受光素子３３ａ〜３３ｊを備える。この内の受光素子３３ａ〜３３ｈは光軸位置Ｌ１を通る直線上に位置し、受光素子３３ａと３３ｈ、受光素子３３ｂと３３ｇ、受光素子３３ｃと３３ｆ、受光素子３３ｄと３３ｅがそれぞれ対を成すように、光軸位置Ｌ１に対して対称に配置されている。４対の受光素子は、角膜の測定経線方向で異なる部位の屈折力を得られるようにその配置距離が設定されている。一方、受光素子３３ｉと３３ｊは、光軸位置Ｌ１を中心にして受光素子３３ａ〜３３ｈの配置方向と直交する方向に配置されている。また、回転セクタ２２と受光部３３は、それぞれ投影光軸と受光光軸を中心に同期して回転可能に構成されている。
【００２３】
角膜形状測定部１１は、プラチドリング投影光学系４０と撮像光学系５０とを備える。プラチドリング投影光学系４０は、プラチド板４１と、プラチド板４１を背後から照明する可視光源４２と、反射板４３とを備えてもよい。プラチド板４１は、例えば、多数の円環状の指標が形成される。撮像光学系５０は、ビームスプリッタ５１、５２、撮影レンズ５３、撮像手段としてのＣＣＤカメラ５４を備える。なお、撮像光学系５０は前眼部観察光学系として兼用されてもよい。
【００２４】
ＣＣＤカメラ５４は画像メモリ７１ａを持つ画像処理部７１に接続され、画像処理部７１はディスプレイ７２と制御部７０に接続される。受光部３３の出力も制御部７０に接続されている。制御部７０は、角膜形状の角膜屈折力分布（角膜曲率分布）と眼全体の眼屈折力分布を演算する機能を持つ。また、制御部７０は、角膜形状から得られる角膜屈折力分布と全体の眼屈折力分布とから、眼内屈折力分布を演算する。制御部７０による演算結果はディスプレイ７２に表示される。入力部７３は制御部７０に指令信号を入力する各種のスイッチを持つ。測定装置１０が持つディスプレイ７２は、評価装置１００側のディスプレイ１０２と共用されても良い。
【００２５】
また、測定装置１０は固視光学系６０を備える。固視光学系６０は、可視光源６１と、固視標６２と、レンズ６３とを備える。レンズ６３は、例えば、光軸方向に移動可能であってもよい。眼屈折力測定時には、レンズ６３を光軸方向に移動させることにより、被検者眼に雲霧が与えられる。
【００２６】
眼屈折力分布の測定では、光源２１の角膜反射輝点を基に被検者眼と装置とのアライメントが行われる。スリット投影光学系２０の測定光源２１は、アライメント光源として兼用されており、光源２１により角膜中心に形成される輝点が上下左右のアライメント指標として使用される。検者はディスプレイ１０２に表示された前眼部像を観察し、光源２１によるアライメント指標と図示なきレチクルとが所定の関係になるように光学系をアライメントする。作動距離のアライメントは、光源２１による角膜輝点のピントが合うようにして行えるが、別のアライメント検出系を設けてもよい。
【００２７】
アライメント完了後、眼屈折力分の測定が実行される。眼屈折力測定では、回転セクタ２２の回転により被検者眼眼底にスリット光束が投影され、その反射光が受光部３３で受光される。眼屈折力分布は、受光素子３３ｉと３３ｊの出力信号の位相差から、測定光軸Ｌ１の中心位置が求められ、この対の受光素子と直交する経線方向に位置する受光素子３３ａ〜３３ｈの出力信号から、一つの測定経線方向で各受光素子に対応する角膜部位での眼屈折力が求められる。そして、回転セクタ２２と受光部３３をそれぞれの光軸回りに、例えば、１度ステップで回転させることにより、制御部７０は各回転ステップの経線毎に変化する眼屈折力分布を求める（この詳細な説明は、特開平１０−１０８８３７号を参照）。
【００２８】
角膜各部位での眼屈折力分布が得られると、例えば、直径３ｍｍでの各経線方向の眼屈折力に所定の処理を施すことにより、球面度数Ｓ、乱視度数Ｃ、乱視軸角度Ａが求められる。なお、測定部１２で得られる眼屈折力分布（球面度数Ｓ、乱視度数Ｃ、乱視軸角度Ａ）は、角膜から網膜までを一つの光学系と考え、眼全体での正視眼に対する屈折誤差の屈折力として得られる（以下、全屈折力とする）。なお、眼屈折力分布は、図示無きシャック・ハルトマンセンサーを用いた構成によって取得されてもよいし、被検眼の眼底に投光された光束の反射光をリング像として取り出す構成によって取得されてもよい。
【００２９】
眼屈折分布測定が完了したら、制御部７０は、引き続き徹照像の撮影に移行する。ここで、制御部７０は、例えば、スリット投影光学系２０の測定光源２１の光量を増加させる。このとき、測定光源２１から出射された光によって照明された眼底からの反射光束は、被検眼の瞳孔を通過したのち、その一部がビームスプリッタ２５で反射され、撮像光学系５０の光路を介してＣＣＤカメラ５４に導かれる。
【００３０】
徹照像を撮影する際、被検眼の瞳孔が大きくなったタイミングで画像取得を行うことが好ましい。より具体的には、制御部７０は、ＣＣＤカメラ５４にて撮影される徹照像から被検眼の瞳孔の輪郭部分を画像処理により抽出し、これに基づいて被検眼の瞳孔径を算出する。そして、制御部７０は、例えば、瞳孔径が所定の許容範囲より大きくなるか否かを判定し、判定条件を満たした場合にトリガ信号を発し、ＣＣＤカメラ５４によって取得される徹照像画像を画像データとして画像処理部７１のメモリ７１ａに記憶させておく。また、徹照像画像を随時メモリ７１ａに記憶させていき、瞳孔径が最大化されたときの画像データを選択的に用いるようにしてもよい。なお、演算制御部７１は、例えば、徹照像による明部と徹照像周辺の暗部との光量差に基づいて瞳孔のエッジ（瞳孔と虹彩の境界）が検出してもよい。
【００３１】
なお、上記のように光源２１からの光束によって術前の被検眼の水晶体付近が背後から照明されると、白内障による混濁部によって眼底反射光が遮光されるため、混濁部分が暗くなって撮像される。さらに、術後の被検眼を撮影した場合、徹照像画像には、切開口（ＣＣＣ）、眼内レンズの縁等によって眼底反射光が拡散されるため、ＣＣＣ、眼内レンズ等の輪郭が撮像される。なお、本実施例では、スリット投影光学系２０の測定光源２１を徹照像撮影用光源として用いているが、これに限るものではなく、徹照像撮影用の専用の光源（赤外光）を用いるようにしてもよい。
【００３２】
また、徹照像画像の撮影が終了すると、続いて、赤外照明光で照明された前眼部像がカメラ５４により撮像される。前眼部像には、角膜全体、瞳孔、虹彩、まつげ、鼻影等が撮像される。カメラ５４により撮像された前眼部像は、画像処理部７１の画像メモリ７１ａに記憶される。なお、測定部１２が眼屈折力分布を測定する構成とされたが、眼屈折力分布と同種の測定機能として波面収差の測定部としても良い。以下では、全屈折力には波面収差も含まれるものとする。
【００３３】
角膜形状測定では、光源４２が点灯され、角膜にプラチドリングが投影される。このとき、被検者眼Ｅに固視標光学系６０の固視標６２を固視させる。カメラ５４に撮像された前眼部像はディスプレイ１０２に表示される。そして、光源２１の角膜反射輝点を基に被検者眼と装置とのアライメントが行われる。アライメント完了後に、測定スイッチが押されることにより、カメラ５４により撮像されたプラチドリング像が画像処理部７１の画像メモリ７１ａに記憶される。画像処理部７１はプラチドリング像を画像処理することによりそのエッジを検出する。そして、制御部７０は所定の角度（１度ステップ）毎に角膜中心（光源２１による輝点）を基準にした角膜曲率分布を求める。
【００３４】
また、プラチドリング像が取得された後、光源４２が消灯され、赤外照明光で照明された前眼部像がカメラ５４により撮像される。このとき、可視のプラチドリング光により照明された直後であるので、縮瞳状態の前眼部像が得られる。カメラ５４により撮像された前眼部像は、画像処理部７１の画像メモリ７１ａに記憶される。
【００３５】
測定装置１０で得られた角膜形状及び全屈折力分布の測定データは、入力部７３のスイッチ操作で評価装置１００に入力され、制御ユニット１０１が持つ記憶部１０１ａに記憶される。また、各測定に続いて得られた徹照像および前眼部像の画像データも制御ユニット１０１に入力され、記憶部１０１ａに記憶される。制御ユニット１０１に測定装置１０からの測定データ等が入力された後、入力ユニット１０３により眼内屈折力分布を演算する解析プログラムが実行される。
【００３６】
角膜形状測定データと全屈折力分布の測定データから、角膜後面から網膜までの眼内の屈折力である眼内屈折力分布を演算する方法を簡単に説明する。形状測定データで得られた角膜曲率分布のデータは、周知の処理により角膜屈折力分布のデータに変換される。眼全体の眼屈折力は、角膜屈折力と角膜を除いた眼内屈折力との和として見なすことができるので、眼内屈折力は全屈折力から角膜屈折力を除いた値（「全屈折力−角膜屈折力」）として考えられる。しかし、眼屈折力測定で得られる全屈折力は正視に対する屈折誤差の値であるので、単純に、「全屈折力−角膜屈折力」が演算されてしまうと、角膜屈折力と同程度の値となり、理解が困難になる。そこで、眼内屈折力は、屈折力の直流分を除いた乱視成分（及びイレギュラー成分）として演算される。測定装置１０から入力された角膜形状の角膜屈折力分布及び全屈折力分布と、制御ユニット１０１により演算された眼内屈折力分布は、ディスプレイ１０２にマップとして表示される。
【００３７】
図４は、ディスプレイ１０２に表示される画面例である。ディスプレイ１０２の画面１０２ａには、例えば、マップ８０、徹照像８２、各種操作スイッチ８９等が表示されている。マップ８０は、角膜形状分布の表示例である。角膜形状分布は、前述の方法で得られた角膜曲率半径が角膜屈折力に変換され、角膜屈折力の分布が色分けされたマップ８０が表示される（角膜曲率の分布としてマップとして表示される場合も含む）。色分けは、例えば赤・橙・黄・緑・青・藍等の色相と濃淡の組み合わせで数段階に分けられ、赤色が最大屈折力、藍色が最小屈折力を示される。
【００３８】
また、マップ８０には、乱視軸の角度を示すラインが重畳表示されてもよい。例えば、角膜乱視の強主経線方向を示すラインＡＣｓと、弱主経線方向を示すラインＡＣｆがグラフィックにて合成されて表示されてもよい。両者のラインの区別を容易にするために、強主経線方向のラインＡＣｓが赤色で表示され、弱主経線方向のラインＡＣｆが青色で表示されてもよい。
【００３９】
さらに、マップ８０の下の表示領域８１には、例えば、角膜の乱視成分を表す強主経線方向及び弱主経線方向のそれぞれの角膜屈折力及び軸角度が数値で表示される。
【００４０】
徹照像画像８２は、瞳孔内を観察するために表示される。徹照像画像８２上にも、上記のような角膜乱視の強主経線方向を示すラインＡＣｓと角膜乱視の弱主経線方向を示すラインＡＣｆとが同時にグラフィックにて合成されて表示されてもよい。これによって、角膜乱視の乱視軸方向が前眼部との関係で把握可能にされる。
【００４１】
なお、図４は、角膜屈折力分布のマップ８０、徹照像画像８２がディスプレイ１０２の画面１０２ａに並べられた例であるが、図示を略すスイッチにより個別のマップを拡大表示させることも可能にされている。また、画面１０２ａ上に全屈折力分布のマップ、眼内屈折力分布のマップ等を並べて表示させてもよい。本実施例の画面１０２ａには、入力ユニット１０３のポインティングデバイス（例えば、マウス、タッチパネル等）、のポインタ８８が表示される。
【００４２】
＜カーソル＞
なお、図４の徹照像画像８２には、ＣＣＣ３の形状を確認するためのカーソル８３が重畳表示されている。例えば、カーソル８３を表示するためのスイッチ８４が押されると、制御ユニット１０１は、例えば、カーソル８３を徹照像画像８２に重畳表示させる。本実施例のカーソル８３は、縦ライン８３ｓと横ライン８３ｂが交差する十字型であり、縦ライン８３ｓと横ライン８３ｂにはカーソル８３の中心８３ｃからの距離を示す目盛り８５が形成される。ここで、カーソル８３の中心８３ｃとは、例えば、縦ライン８３ｓと横ライン８３ｂの交点のことである。検者は、この目盛り８５でＣＣＣ３の形状を確認することによって、白内障手術の評価を行う。
【００４３】
以下、カーソル８３を用いたＣＣＣ３の形状の確認方法について説明する。検者によって、スイッチ８４が押されると、制御ユニット１０１は画面上にカーソル８３を表示する。制御ユニット１０１は、例えば、アライメント輝点によって検出された角膜中心Ｐの位置に、カーソル８３の中心８３ｃの位置を重ねて表示させる。
【００４４】
次に、制御ユニット１０１は、例えば、検者の入力操作に応じてカーソル８３の位置を移動させる。例えば、検者は、入力ユニット（例えば、マウスなど）１０３を操作し、画面に表示させたポインタ８８をカーソル８３の中心８３ｃの付近に移動させる。そして、検者は、入力ユニット１０３の図示無き選択ボタン（例えば、マウスの左クリックボタンなど）によって中心８３ｃの付近を選択する。次いで、検者は、ポインタ８８を移動させると、カーソル８３はポインタ８８の移動に追従して移動して表示される。制御ユニット１０１は、入力ユニット１０３からの操作信号に基づいて、ポインタ８８とカーソル８３の表示を制御する。
【００４５】
このように、検者は、入力ユニット１０３の操作によって、カーソル８３の位置を任意の位置に変更できる。検者は、カーソル８３を移動させ、中心８３ｃをＣＣＣ３の中心部に移動させる（図５参照）。カーソル８３の移動が完了すると、次に検者は、入力ユニットの操作によってカーソル８３を回転させる。例えば、検者は、カーソル８３の中心８３ｃから外れた位置において縦ライン８３ｓと横ライン８３ｂのいずれかの位置にポインタ８８を移動させ、選択する。この状態で、検者は、カーソル８３の中心８３ｃに対して回転させるようにポインタ８８を移動させる。この操作によって、カーソル８３は中心８３ｃを軸として回転する。検者は、図６に示すように、徹照像画像８２を確認しながらポインタ８８を操作し、ＣＣＣ３の形状を楕円と見なした場合の長軸と短軸の位置に、カーソル８３の縦ライン８３ｓと横ライン８３ｂが表示されるようにカーソル８３を回転させる。
【００４６】
検者は、長軸と短軸の位置にカーソル８３の縦ライン８３ｓと横ライン８３ｂが重なるようにカーソル８３を回転させると、カーソル８３に形成された目盛り８５を読み取り、ＣＣＣ３の形状を楕円と見なした場合の長軸と短軸の大きさを確認する。検者は、目盛り８５で確認した長軸と短軸の大きさによって、ＣＣＣ３の形状を評価することができる。例えば、検者は、長軸と短軸の差が大きいほど真円から離れた形状であり、差が小さいほど真円に近い形状であると評価できる。
【００４７】
このように、検者は、カーソル８３の目盛り８５を読み取ることによって、ＣＣＣ３が複雑な形状であっても、ＣＣＣ３の形状を数値化して定量的に評価することができる。これによって、検者は、例えばＣＣＣ３の長軸および短軸と、被検眼の見え方、眼屈折力等についての関係を記録することによって、白内障手術を評価するための指標として役立てることができる。また、針又はピンセット等を用いて作成したＣＣＣと、フェムト秒レーザ等の装置を用いて作成したＣＣＣとの形状評価の比較も行い易い。なお、ＣＣＣの形状が楕円形状でなく、例えば矩形状のような他の形状であっても、楕円と見なして定量化してもよい。
【００４８】
なお、本実施例のように、カーソル８３の位置に関する情報を表示する表示欄８６を設けてもよい。表示欄８６には、例えば、角膜中心Ｐからカーソル８３の中心８３ｃまでの距離と、角膜中心Ｐに対する中心８３ｃの方向を表す角度が表示されている。制御ユニット１０１は、入力ユニット１０３からの操作信号に基づいてカーソル８３を移動させる場合、表示欄８６の表示を変化させる。これによって、検者は、ＣＣＣ３の形成位置を評価することができる。検者は、ＣＣＣ３の形成位置から、角膜中心Ｐに対するＣＣＣのずれの方向とずれ量等の関係を評価することができる。
【００４９】
＜変容例＞
なお、以上のように、ＣＣＣ３の形状を評価するためのカーソル８３としては、十字カーソル以外に、例えば、図７に示すような楕円カーソル９１が挙げられる。楕円カーソル９１は、例えば、楕円形状のカーソルであり、入力ユニット１０３への検者の操作によって、移動および回転されてもよいし、長軸と短軸の長さが変更されてもよい。なお、制御ユニット１０１は、楕円カーソル９１の長軸および短軸の長さをカーソル９１付近の表示領域９２に表示させてもよい。さらに、楕円カーソル９１の場合も前述の実施例と同様に、制御ユニット１０１は角膜中心Ｐから楕円カーソル９１の中心９１ｃまでの距離と方向（例えば、角度）を表示欄８６に表示させてもよい。
【００５０】
検者は、入力ユニットの操作によって、例えば、楕円カーソル９１を移動および回転させ、さらに楕円カーソル９１の長軸と短軸を変更することによって、楕円カーソル９１をＣＣＣ３の形状と重ねるようにする。より詳細には、カーソル９１の中心９１ｃ付近を選択してドラッグすることによってカーソル９１を移動させ。さらには、カーソル９１の楕円部を選択してドラッグすることによって、長軸および短軸の長さを調整してもよいし、カーソル９１を回転させてもよい。制御ユニット１０１は、例えば、入力ユニット１０３からの操作信号に基づいて、楕円カーソル９１の表示を変化させるとともに、表示領域９２と表示欄８６の表示を変化させる。検者は、楕円カーソル９１をＣＣＣ３と重ねた状態において、表示領域９２に表示された長軸と短軸の長さを確認することによって、ＣＣＣ３の形状を定量的に評価することができる。
【００５１】
さらに、ＣＣＣ３の形状評価のためのカーソル８３としては、例えば、図８に示すような矩形カーソル９３が挙げられる。矩形カーソル９３は、例えば、長方形のカーソルであり、入力ユニット１０３への検者の操作によって、移動および回転されてもよいし、長辺と短辺の長さが変更されてもよい。なお、制御ユニット１０１は、矩形カーソル９３の長辺および短辺の長さをカーソル９３付近の表示領域９４に表示させてもよい。さらに、矩形カーソル９３の場合も、制御ユニット１０１は、角膜中心Ｐから矩形カーソル９３の中心９３ｃまでの距離と方向（例えば、角度）を表示欄８６に表示させてもよい。
【００５２】
検者は、入力ユニット１０３を操作することで、ＣＣＣ３の形状がちょうど矩形カーソル９３の中に納まるように矩形カーソル９３の長辺と短辺の長さを変更し、さらには、長方形を回転させる。例えば、検者は、２辺の長辺と２本の短辺のそれぞれの中点９５がそれぞれＣＣＣ３の切り口に接するように、矩形カーソル９３を調整する。制御ユニット１０１は、入力ユニット１０３からの操作信号に基づいて、矩形カーソル９３の表示を変化させるとともに、表示領域９４および表示欄８６の表示を変化させる。検者は、矩形カーソル９３にＣＣＣ３の形状を収めた状態で、表示領域９４の長辺および短辺の長さを確認することによって、ＣＣＣ３の形状を定量的に評価することができる。
【００５３】
さらに、ＣＣＣ３の形状評価のためのカーソル８３としては、例えば、図９に示すような真円カーソル９６が挙げられる。真円カーソル９６は、例えば、真円形のカーソルであり、入力ユニット１０３への検者の操作によって、移動されてもよいし、直径が変更されてもよい。なお、制御ユニット１０１は、真円カーソル９６の直径を真円カーソル９６付近の表示領域９７に表示させてもよい。さらに、制御ユニット１０１は表示欄８６に、角膜中心Ｐから真円カーソル９６の中心９６ｃまでの距離と方向（例えば、角度）を表示欄８６に表示させてもよい。
【００５４】
検者は、入力ユニット１０３を操作することで、真円カーソル９６を移動させ、直径を変更することによって、ＣＣＣ３を楕円と見なしたときの長軸及び短軸の一方と真円カーソル９６の直径を一致させる。例えば、検者は、ポインタ８８を移動させて真円カーソル９６に形成された変更バー９６ａを選択し、ドラッグすることによって、真円カーソル９６の直径を変更する。例えば、検者は、ＣＣＣ３の短軸の長さと真円カーソル９６の直径が一致するように真円カーソル９６の直径を変更する。短軸の長さと真円カーソル９６の直径が一致すると、検者は、例えば、ディスプレイ１０２に表示された短軸決定ボタン９８ａを選択し、ＣＣＣ３の短軸の長さを決定する。短軸決定ボタンが選択されると、制御ユニット１０１は、表示されている真円カーソル９６の直径の大きさを短軸表示欄９９ａに表示させる。次いで、検者は、ＣＣＣ３の長軸の長さと真円カーソル９６の直径が一致するように真円カーソル９６の直径を変更する。長軸の長さと真円カーソル９６の直径が一致すると、検者は、長軸決定ボタン９８ｂを選択し、ＣＣＣ３の長軸の長さを決定する。長軸決定ボタン９８ｂが選択されると、制御ユニット１０１は、表示されている真円カーソル９６の直径の大きさを長軸表示欄９９ｂに表示させる。制御ユニット１０１は、長軸と短軸の長さの差を表示欄９９ｃに表示させてもよい。検者は、短軸表示欄９９ａ、長軸表示欄９９ｂ、表示欄９９ｃなどの表示を確認することによって、ＣＣＣ３の形状を定量的に評価するための数値を取得できる。
【００５５】
なお、以上の実施例において、カーソル８３は、カーソル８３の中心８３ｃが角膜中心Ｐと重なる位置を初期位置として表示されるように説明したが、これに限らない。例えば、カーソル８３の位置は、徹照画像上の任意の位置を初期位置として表示されてもよい。
【００５６】
なお、カーソル８３は、点状のカーソルであってもよい。例えば、徹照画像上の任意の点を指定すると、その指定位置を示す点状のカーソルが表示されてもよい。例えば、検者によって、ＣＣＣ３の輪郭上の２点が指定されると、制御ユニット１０１は、徹照画像上に指定された２点の位置に点状のカーソルを表示するとともに、２点間の距離を画面１０２ａ上に表示してもよい。検者は、ＣＣＣ３の形状を楕円と見なした場合の短軸と長軸に対してそれぞれ２点を指定することによって、短軸と長軸の長さを確認してもよい。
【符号の説明】
【００５７】
１０  測定装置本体
１１  角膜形状測定部
１２  眼屈折力分布測定部
７０  制御部
７３  入力部
８０  マップ
８２  徹照像
８３  カーソル
１０１  制御ユニット
１０２  ディスプレイ
１０３  入力ユニット
【図１】
2016106649.tif 000003
【図２】
2016106649.tif 000004
【図３】
2016106649.tif 000005
【図４】
2016106649.tif 000006
【図５】
2016106649.tif 000007
【図６】
2016106649.tif 000008
【図７】
2016106649.tif 000009
【図８】
2016106649.tif 000010
【図９】
2016106649.tif 000011